(57)【要約】【課題】  光源を点灯してから光量が安定するまでの時間を短くできると共に、消費電力や発熱を抑えることができる画像読取装置を提供する。【解決手段】  シェーディングプレート３１の画像データ及び原稿の画像データを読み取る読取手段を有する画像読取装置１であって、シェーディングプレート３１及び原稿に光を照射する少なくとも２つの光源５１と、全ての光源５１を点灯する点灯手段と、読み取られたシェーディングプレート３１の画像データにおける光量の最大値を抽出する抽出手段と、光量の消灯設定値を記憶する記憶手段と、抽出された光量の最大値が、記憶された光量の消灯設定値より大きい場合に、一部の光源５１を消灯する一部消灯手段と、を備えた。【選択図】      図４
2007158416.tif 000002
【特許請求の範囲】
【請求項１】
シェーディングプレートの画像データ及び原稿の画像データを読み取る読取手段を有する画像読取装置であって、
前記シェーディングプレート及び前記原稿に光を照射する少なくとも２つの光源と、
全ての光源を点灯する点灯手段と、
前記読取手段により読み取られたシェーディングプレートの画像データにおける光量の最大値を抽出する抽出手段と、
光量の消灯設定値を記憶する記憶手段と、
前記抽出手段により抽出された光量の最大値が、前記記憶手段により記憶された光量の消灯設定値より大きい場合に、一部の光源を消灯する一部消灯手段と、
を備えたことを特徴とする画像読取装置。
【請求項２】
前記一部消灯手段により一部の光源が消灯された場合に、前記シェーディングプレートの画像データを再び読み取る再読取手段と、
前記読取手段により読み取られた原稿の画像データを、前記再読取手段により再び読み取られたシェーディングプレートの画像データに基づいてシェーディング補正するシェーディング補正手段と、
を備えた請求項１記載の画像読取装置。
【請求項３】
前記読取手段により原稿の画像データが読み取られた場合に、点灯中の光源を消灯する全部消灯手段を備えた請求項１又は２記載の画像読取装置。
【請求項４】
シェーディングプレートの画像データ、バックプレートの画像データ、及び原稿の画像データを読み取る読取手段を有する画像読取装置であって、
前記シェーディングプレート、前記バックプレート、及び前記原稿に光を照射する少なくとも２つの光源と、
全ての光源を点灯する点灯手段と、
前記読取手段により読み取られたバックプレートの画像データにおける光量の最大値を抽出する抽出手段と、
光量の消灯設定値を記憶する記憶手段と、
前記抽出手段により抽出された光量の最大値が、前記記憶手段により記憶された光量の消灯設定値より大きい場合に、一部の光源を消灯する一部消灯手段と、
を備えたことを特徴とする画像読取装置。
【請求項５】
前記一部消灯手段により一部の光源が消灯された場合に、前記バックプレートの画像データを再び読み取る再読取手段と、
前記読取手段により読み取られた原稿の画像データを、前記再読取手段により再び読み取られたバックプレートの画像データに基づいてシェーディング補正するシェーディング補正手段と、
を備えた請求項４記載の画像読取装置。
【請求項６】
前記読取手段により原稿の画像データが読み取られた場合に、次の原稿があるか否かを検出する検出手段と、
この検出手段により次の原稿がないと検出された場合に、点灯中の光源を消灯する全部消灯手段と、
を備えた請求項４又は５記載の画像読取装置。
【発明の詳細な説明】
【技術分野】
【０００１】
本発明は、少なくとも２つの光源を備えた画像読取装置に関するものである。
【背景技術】
【０００２】
周知のように、原稿の画像データを読み取るためのスキャナの光源としては、冷陰極管や蛍光管等が用いられている。しかし、このような光源では、電圧を印加してから点灯するまでの時間や、点灯してから光量が安定するまでの時間が長いという問題点がある。
【０００３】
そこで、光源を点灯してから光量が安定するまでの時間を短くする技術として、少なくとも２つの冷陰極管を同時に点灯する手段を備えた画像入力装置等が提案されている（例えば、特許文献１参照。）。
【特許文献１】特開平３−１８２１５７号公報（特許請求の範囲、第５図等）
【発明の開示】
【発明が解決しようとする課題】
【０００４】
しかし、上記のような従来の画像入力装置では、少なくとも２つの冷陰極管を点灯し続けるので、消費電力や発熱を抑えにくいという問題点がある。
【０００５】
本発明は、以上のような問題点に鑑みてなされたものであり、光源を点灯してから光量が安定するまでの時間を短くできると共に、消費電力や発熱を抑えることができる画像読取装置を提供することを目的とする。
【課題を解決するための手段】
【０００６】
上記目的を達成するための請求項１の発明は、シェーディングプレートの画像データ及び原稿の画像データを読み取る読取手段を有する画像読取装置であって、前記シェーディングプレート及び前記原稿に光を照射する少なくとも２つの光源と、全ての光源を点灯する点灯手段と、前記読取手段により読み取られたシェーディングプレートの画像データにおける光量の最大値を抽出する抽出手段と、光量の消灯設定値を記憶する記憶手段と、前記抽出手段により抽出された光量の最大値が、前記記憶手段により記憶された光量の消灯設定値より大きい場合に、一部の光源を消灯する一部消灯手段と、を備えたものである。
【０００７】
請求項２の発明は、前記一部消灯手段により一部の光源が消灯された場合に、前記シェーディングプレートの画像データを再び読み取る再読取手段と、前記読取手段により読み取られた原稿の画像データを、前記再読取手段により再び読み取られたシェーディングプレートの画像データに基づいてシェーディング補正するシェーディング補正手段と、を備えたものである。
【０００８】
請求項３の発明は、前記読取手段により原稿の画像データが読み取られた場合に、点灯中の光源を消灯する全部消灯手段を備えたものである。
【０００９】
請求項４の発明は、シェーディングプレートの画像データ、バックプレートの画像データ、及び原稿の画像データを読み取る読取手段を有する画像読取装置であって、前記シェーディングプレート、前記バックプレート、及び前記原稿に光を照射する少なくとも２つの光源と、全ての光源を点灯する点灯手段と、前記読取手段により読み取られたバックプレートの画像データにおける光量の最大値を抽出する抽出手段と、光量の消灯設定値を記憶する記憶手段と、前記抽出手段により抽出された光量の最大値が、前記記憶手段により記憶された光量の消灯設定値より大きい場合に、一部の光源を消灯する一部消灯手段と、を備えたものである。
【００１０】
請求項５の発明は、前記一部消灯手段により一部の光源が消灯された場合に、前記バックプレートの画像データを再び読み取る再読取手段と、前記読取手段により読み取られた原稿の画像データを、前記再読取手段により再び読み取られたバックプレートの画像データに基づいてシェーディング補正するシェーディング補正手段と、を備えたものである。
【００１１】
請求項６の発明は、前記読取手段により原稿の画像データが読み取られた場合に、次の原稿があるか否かを検出する検出手段と、この検出手段により次の原稿がないと検出された場合に、点灯中の光源を消灯する全部消灯手段と、を備えたものである。
【発明の効果】
【００１２】
請求項１の発明によれば、ＡＤＦ（オートドキュメントフィーダ）を使用しない場合において、少なくとも２つの光源を備えていると共に、読取開始時に全ての光源を点灯するので、光源を点灯してから光量が安定するまでの時間を短くすることができる。また、抽出されたシェーディングプレートの画像データにおける光量の最大値が消灯設定値より大きい場合に、一部の光源を消灯するので、消費電力や発熱を抑えることができる。
【００１３】
請求項２の発明によれば、一部の光源が消灯されている場合に、読み取られた原稿の画像データを、再び読み取られたシェーディングプレートの画像データに基づいてシェーディング補正するので、原稿の画像データのシェーディング補正を正確に行うことができる。
【００１４】
請求項３の発明によれば、原稿の画像データが読み取られた場合に、点灯中の光源を消灯するので、消費電力や発熱をより効果的に抑えることができる。
【００１５】
請求項４の発明によれば、ＡＤＦを使用する場合において、少なくとも２つの光源を備えていると共に、読取開始時に全ての光源を点灯するので、光源を点灯してから光量が安定するまでの時間を短くすることができる。また、抽出されたバックプレートの画像データにおける光量の最大値が消灯設定値より大きい場合に、一部の光源を消灯するので、消費電力や発熱を抑えることができる。
【００１６】
請求項５の発明によれば、一部の光源が消灯されている場合に、読み取られた原稿の画像データを、再び読み取られたバックプレートの画像データに基づいてシェーディング補正するので、原稿の画像データのシェーディング補正を正確に行うことができる。
【００１７】
請求項６の発明によれば、次の原稿がないと検出された場合に、点灯中の光源を消灯するので、消費電力や発熱をより効果的に抑えることができる。
【発明を実施するための最良の形態】
【００１８】
以下、本発明の実施形態を図面に基づいて説明する。
本実施形態に係る画像読取装置１は、図１に示すように、主な構成要素として、制御部２、ＲＯＭ（read only memory、読み出し専用メモリ）３、ＲＡＭ（random access memory、随時書き込み読み出しメモリ）４、画像メモリ５、記録部６、ＬＡＮ（local area network、構内情報通信網）インターフェース（ＬＡＮ Ｉ／Ｆ）７、操作部８、表示部９、コーデック（ＣＯＤＥＣ）１０、読取部１１、モデム１２、ＮＣＵ（network control unit、回線網制御装置）１３を備えたものであり、各構成要素はバス１４を介して互いに通信可能に接続されている。
【００１９】
ＲＯＭ３は、各構成要素の動作を制御するための制御プログラムや、光量の消灯設定値等を記憶している。制御部２は、ＭＰＵ（micro processing unit、超小型演算処理ユニット）等で構成されており、ＲＯＭ３上の制御プログラム等に従って各構成要素の動作を制御する。ＲＡＭ４は、画像読取装置１に関する各種の情報を一時的に記憶する。制御プログラム等を記憶する記憶手段は、ＲＯＭ３の他、フラッシュメモリやＨＤＤ（ハードディスクドライブ）等であってもよい。
【００２０】
表示部９は、操作部８等に併設されたＬＣＤ（liquid crystal display、液晶ディスプレイ）等で構成されており、各種の情報を表示する。操作部８は、選択キーや入力キー等、各種の操作をするための操作キー等を備えている。画像読取装置１に対するユーザによる各種の操作は、この操作部８を通じて行われる。なお、表示部９をタッチパネルとしておき、このタッチパネルとしての表示部９が操作部８としても機能するように構成してもよい。
【００２１】
モデム１２は、ＩＴＵ−Ｔ（国際電気通信連合−電気通信標準化部門）勧告のＶ．３４手順やＧ３（group 3）手順（ＩＴＵ−Ｔ勧告のＶ．２１手順）等に従った送信データの変調及び受信データの復調を行う。ＮＣＵ１３は、ＰＳＴＮ２１に接続されており、電話回線を制御して電話をかけたり切ったりする。
【００２２】
ＬＡＮインターフェース７は、ＬＡＮ２２及びインターネット２３に接続されている。ＬＡＮ２２は、インターネット２３に接続されている。
【００２３】
読取部１１は、図２のようなシェーディングプレート３１の画像データ、バックプレート３２の画像データ、及び図示しない原稿の画像データを読み取る。コーデック１０は、読取部１１により読み取られた画像データを送信等のためにＭＨ（modified Huffman）方式、ＭＲ（modified read）方式、ＭＭＲ（modified modified read）方式等により符号化したり、画像メモリ５により記憶された画像データを印刷のために復号化したりする。画像メモリ５は、コーデック１０により符号化された画像データや、モデム１２又はＬＡＮインターフェース７を介して受信した画像データ等を一時的に記憶する。記録部６は、コーデック１０により復号化された画像データ等を電子写真方式等により記録用紙に印刷する。
【００２４】
また、読取部１１は、図２に示すように、主な構成要素として、ＦＢＳ（フラットベッドスキャナ）４１及びＡＤＦ（オートドキュメントフィーダ）４２を備えている。
【００２５】
ＡＤＦ４２は、ＦＢＳ４１の上方に設けられており、自動搬送ライン４３及びバックプレート３２を備えている。自動搬送ライン４３では、原稿がＵ字状に搬送される。バックプレート３２は、原稿を副走査方向（図２の左右方向）に案内する案内板として機能すると共に、後述のように再調整用のシェーディングプレートとしても機能する。
【００２６】
ＦＢＳ４１は、筐体４４、フルレートキャリッジ４５、ハーフレートキャリッジ４６、集光レンズ４７、ＣＣＤ（charge coupled device、光電変換撮像素子）ラインセンサ４８、及びシェーディングプレート３１を備えている。
【００２７】
筐体４４は、扁平な箱状に形成されており、その天井部４４ａにはプラテンガラス４９及びコンタクトガラス５０が副走査方向に間隔を開けて設けられている。プラテンガラス４９は、透明でかつ矩形状に形成されており、その長手方向が副走査方向に対して平行となるように設けられている。コンタクトガラス５０は、透明でかつ矩形状に形成されており、その長手方向が主走査方向（図２の紙面に対して垂直な方向）に対して平行となるように設けられている。シェーディングプレート３１は、筐体４４の天井面４４ｂにおけるプラテンガラス４９とコンタクトガラス５０の間に主走査方向に延びるように設けられている。バックプレート３２は、コンタクトガラス５０の上方にこのコンタクトガラス５０から間隔を開けて水平にかつ主走査方向に延びるように設けられている。
【００２８】
フルレートキャリッジ４５は、筐体４４内で副走査方向に移動するものであり、例えば２つの光源５１及び第１ミラー６１を備えている。ハーフレートキャリッジ４６は、筐体４４内で副走査方向にフルレートキャリッジ４５の１／２の速度で移動するものであり、第２ミラー６２及び第３ミラー６３を備えている。
【００２９】
光源５１は、主走査方向に延びるように設けられており、シェーディングプレート３１、バックプレート３２、プラテンガラス４９上に載置された原稿、及びＡＤＦ４２により自動搬送ライン４３に沿って搬送されてコンタクトガラス５０上では副走査方向に移動する原稿に光を照射する。第１ミラー６１は、主走査方向に延びるように設けられており、図２のようなシェーディングプレート３１からの反射光６４、図３のようなバックプレート３２からの反射光６４、及び図示しない原稿からの反射光６４を第２ミラー６２に向けて反射する。光源５１としては、冷陰極管、蛍光灯、ＬＥＤ（light emitting diode、発光ダイオード）等が挙げられる。特に、光源５１としてＬＥＤを採用すれば、インバータが不要であるので、コストダウンを図ることができるという利点がある。なお、光源５１の数は２つに限定されるものではなく、３つ以上であってもよい。また、異種の光源５１を適宜に組み合わせてもよい。
【００３０】
第２ミラー６２は、ハーフレートキャリッジ４６の上部側に主走査方向に延びるように設けられており、図２及び図３に示すように、第１ミラー６１からの反射光６４を第３ミラー６３に向けて反射する。第３ミラー６３は、ハーフレートキャリッジ４６の下部側に主走査方向に延びるように設けられており、第２ミラー６２からの反射光６４を集光レンズ４７に向けて反射する。
【００３１】
集光レンズ４７は、筐体４４内に設けられており、第３ミラー６３からの反射光６４をＣＣＤラインセンサ４８に向けて集光する。ＣＣＤラインセンサ４８は、筐体４４内に設けられており、集光レンズ４７により集光された反射光６４を受光して電気信号に変換する。なお、読取部１１の構成は特に限定されるものではなく、ＡＤＦ４２のないＦＢＳ４１で構成してもよい。
【００３２】
上記のように構成された画像読取装置１は、スキャナとして機能するものであればよいが、コピー機、ネットワークプリンタ、ネットワークスキャナ、いわゆるスーパーＧ３ＦＡＸ通信機、Ｇ３ＦＡＸ通信機、及びインターネットＦＡＸ通信機のうちの少なくともいずれかとしても機能する複合機等であってもよい。
【００３３】
次に、ＡＤＦ４２を使用しない読取処理の一例を図４に示すフローチャートに基づいて説明する。なお、この処理は、ＲＯＭ３上の制御プログラム等に基づいて制御部２が発行する命令に従って行われる。
【００３４】
この処理において、両方の光源５１が点灯され（ステップＳ１）、フルレートキャリッジ４５がホーム位置から図２のようにシェーディングプレート位置へ移動した場合は（ステップＳ２）、読取部１１によりシェーディングプレート３１の画像データが読み取られ（ステップＳ３）、読み取られたシェーディングプレート３１の画像データにおける光量の最大値が抽出される（ステップＳ４）。なお、３つ以上の光源５１を備えている場合、ステップＳ１では、全ての光源５１を点灯するように構成すればよい。
【００３５】
ここでいうホーム位置とは、フルレートキャリッジ４５の初期位置をいう。シェーディングプレート位置とは、シェーディングプレート３１からの反射光６４をフルレートキャリッジ４５の第１ミラー６１がハーフレートキャリッジ４６の第２ミラー６２に向けて反射できる位置をいう。
【００３６】
そして、抽出された光量の最大値が、ＲＯＭ３に記憶された光量の消灯設定値より大きい場合は（ステップＳ５でＹＥＳ）、一方の光源５１が消灯され（ステップＳ６）、読取部１１によりシェーディングプレート３１の画像データが再び読み取られる（ステップＳ７）。なお、３つ以上の光源５１を備え、全ての光源５１を点灯していた場合、ステップＳ６では、一部の光源５１を消灯するように構成すればよい。
【００３７】
次いで、フルレートキャリッジ４５が読取位置まで移動し（ステップＳ８）、プラテンガラス４９上に載置された原稿の画像データが読取部１１により読み取られた場合は（ステップＳ９）、点灯中の他方の光源５１が消灯される（ステップＳ１０）。なお、３つ以上の光源５１を備え、一部の光源５１を消灯していた場合、ステップＳ６では、点灯中の残りの光源５１を消灯するように構成すればよい。このように、原稿の画像データが読み取られた場合に、点灯中の光源５１を消灯するように構成しておけば、消費電力や発熱をより効果的に抑えることができるという利点がある。
【００３８】
ステップＳ５において、抽出された光量の最大値が消灯設定値以下である場合は（ステップＳ５でＮＯ）、ステップＳ８に進む。この場合、両方の光源５１が点灯したままであるので、読み取られた原稿の画像データは、通常の手順通り、最初に読み取られたシェーディングプレート３１の画像データ（最初に取得したシェーディングデータ）に基づいて、図示しないシェーディング補正回路によりシェーディング補正される。これに対し、既述のようにして一方の光源５１が消灯されている場合、読み取られた原稿の画像データは、再び読み取られたシェーディングプレート３１の画像データ（再取得したシェーディングデータ）に基づいて、シェーディング補正回路によりシェーディング補正される。このように、一部の光源５１が消灯されている場合に、読み取られた原稿の画像データを、再び読み取られたシェーディングプレート３１の画像データに基づいてシェーディング補正するように構成しておけば、原稿の画像データのシェーディング補正を正確に行えるという利点がある。
【００３９】
そして、読取が継続されない場合は（ステップＳ１１でＮＯ）、フルレートキャリッジ４５がホーム位置へ戻され（ステップＳ１２）、処理が終了する。一方、読取が継続される場合は（ステップＳ１１でＹＥＳ）、ステップＳ１に戻る。
【００４０】
次に、ＡＤＦ４２を使用した読取処理の一例を図５に示すフローチャートに基づいて説明する。なお、この処理は、ＲＯＭ３上の制御プログラム等に基づいて制御部２が発行する命令に従って行われる。
【００４１】
この処理において、両方の光源５１が点灯され（ステップＳ２１）、フルレートキャリッジ４５がホーム位置から図２のようにシェーディングプレート位置へ移動した場合は（ステップＳ２２）、読取部１１によりシェーディングプレート３１の画像データが読み取られ（ステップＳ２３）、図３に示すように、フルレートキャリッジ４５がＡＤＦ４２使用時の読取位置へ移動する（ステップＳ２４）。なお、３つ以上の光源５１を備えている場合、ステップＳ２１では、全ての光源５１を点灯するように構成すればよい。
【００４２】
そして、読取部１１によりバックプレート３２の画像データが読み取られた場合は（ステップＳ２５）、読み取られたバックプレート３２の画像データにおける光量の最大値が抽出される（ステップＳ２６）。
【００４３】
次いで、抽出された光量の最大値が、ＲＯＭ３に記憶された光量の消灯設定値より大きい場合は（ステップＳ２７でＹＥＳ）、一方の光源５１が消灯され（ステップＳ２８）、読取部１１によりバックプレート３２の画像データが再び読み取られる（ステップＳ２９）。なお、３つ以上の光源５１を備え、全ての光源５１を点灯していた場合、ステップＳ２８では、一部の光源５１を消灯するように構成すればよい。
【００４４】
そして、ＡＤＦ４２により自動搬送ライン４３に沿って搬送されてコンタクトガラス５０上を通過する原稿の画像データが読取部１１により読み取られ（ステップＳ３０）、ＡＤＦ４２の図示しない給紙トレイに設けた用紙センサ等の検出手段により次の原稿がないと検出された場合は（ステップＳ３１でＮＯ）、点灯中の他方の光源５１が消灯され（ステップＳ３２）、フルレートキャリッジ４５がホーム位置へ戻された（ステップＳ３３）後、処理が終了する。なお、３つ以上の光源５１を備え、一部の光源５１を消灯していた場合、ステップＳ３２では、点灯中の残りの光源５１を消灯するように構成すればよい。このように、次の原稿がないと検出された場合に、点灯中の光源５１を消灯するように構成しておけば、消費電力や発熱をより効果的に抑えることができるという利点がある。
【００４５】
ステップＳ２７において、抽出された光量の最大値が消灯設定値以下である場合は（ステップＳ２７でＮＯ）、ステップＳ３０に進む。この場合、両方の光源５１が点灯したままであるので、読み取られた原稿の画像データは、通常の手順通り、最初に読み取られたシェーディングプレート３１の画像データ（最初に取得したシェーディングデータ）に基づいて、シェーディング補正回路によりシェーディング補正される。これに対し、既述のようにして一方の光源５１が消灯されている場合、読み取られた原稿の画像データは、再び読み取られたバックプレート３２の画像データ（再取得したシェーディングデータ）に基づいて、シェーディング補正回路によりシェーディング補正される。このように、一部の光源５１が消灯されている場合に、読み取られた原稿の画像データを、再び読み取られたバックプレート３２の画像データに基づいてシェーディング補正するように構成しておけば、原稿の画像データのシェーディング補正を正確に行えるという利点がある。
【００４６】
ステップＳ３１において、検出手段により次の原稿があると検出された場合は（ステップＳ３１でＹＥＳ）、ステップＳ２５に戻る。
【００４７】
上記のように構成された画像読取装置１によれば、少なくとも２つの光源５１を備えていると共に、読取開始時に全ての光源５１を点灯するように構成されているので、光源５１を点灯してから光量が安定するまでの時間を短くできるという利点がある。また、抽出された光量の最大値が消灯設定値より大きい場合に、一部の光源５１を消灯するように構成されているので、消費電力や発熱を抑えることができるという利点がある。
【産業上の利用可能性】
【００４８】
以上のように、本発明に係る画像読取装置は、光源を点灯してから光量が安定するまでの時間を短くすると共に、消費電力や発熱を抑えるのに適している。
【図面の簡単な説明】
【００４９】
【図１】実施形態に係る画像読取装置の構成例を示すブロック図。
【図２】フルレートキャリッジをシェーディングプレート位置に移動させた状態の読取部の一例を示す概略断面図。
【図３】フルレートキャリッジをＡＤＦ使用時の読取位置に移動させた状態の読取部の一例を示す概略断面図。
【図４】ＡＤＦを使用しない読取処理の一例を示すフローチャート。
【図５】ＡＤＦを使用した読取処理の一例を示すフローチャート。
【符号の説明】
【００５０】
１  画像読取装置
２  制御部
３  ＲＯＭ
４  ＲＡＭ
５  画像メモリ
８  操作部
１０  コーデック
１１  読取部
３１  シェーディングプレート
３２  バックプレート
５１  光源
【図１】
2007158416.tif 000003
【図２】
2007158416.tif 000004
【図３】
2007158416.tif 000005
【図４】
2007158416.tif 000006
【図５】
2007158416.tif 000007